(57)【要約】【課題】プリンタ消耗品を回収するための箱の蓋の部分を、美観を損なうことなく仮固定して使いやすく利用する。【解決手段】略直方体型の箱本体１４からなり、箱本体１４の側面１６の上縁部には、それぞれ対向するように側面１６に連設され、箱本体１４の上面側に折り曲げられて箱本体１４の上蓋を形成する２組のフラップ１８Ａ、１８Ｂ、２０Ａ、２０Ｂが設けられ、２組のフラップの端縁部分には、接合用舌片２２Ａ、２２Ｂ、２３Ａ、２３Ｂが設けられ、箱本体１４の側面には、フラップ１８Ａ、１８Ｂ、２０Ａ、２０Ｂを箱本体１４の外側面側に折り曲げた状態で、接合用舌片２２Ａ、２２Ｂ、２３Ａ、２３Ｂを差し込むスリット２４、２５が設けられている。【選択図】図１
2007204117.tif 000002
【特許請求の範囲】
【請求項１】
略直方体型の箱本体からなり、
前記箱本体の側面の上縁部には、それぞれ対向するように前記側面に連設され、前記箱本体の上面側に折り曲げられて前記箱本体の上蓋を形成する２組のフラップが設けられ、
前記２組のフラップの端縁部分には、接合用舌片が設けられ、
前記箱本体の側面には、前記フラップを前記箱本体の外側面側に折り曲げた状態で、前記接合用舌片を差し込むスリットが設けられていることを特徴とするプリンタ消耗品回収箱。
【請求項２】
請求項１に記載のプリンタ消耗品回収箱において、
前記箱本体の側面に設けられたスリットの全部又は一部が、手掛け用開口であることを特徴とするプリンタ消耗品回収箱。
【請求項３】
請求項１記載のプリンタ消耗品回収箱において、
前記２組のフラップのうち、一方の組の各フラップの中間部分に、他方の組のフラップの前記接合用舌片を差し込むスリットを設けたことを特徴とするプリンタ消耗品回収箱。
【請求項４】
請求項３に記載のプリンタ消耗品回収箱において、
前記２組のフラップには、前記箱本体の側面の上縁に略平行な折目線を設け、
前記２組のフラップを前記側壁の内側面側に折り曲げ、かつ、前記折目線に沿って各フラップの端縁部を可動蓋を形成するように折り返した状態で、前記他方の組のフラップの前記接合用舌片を差し込むスリットを、前記一方の組の各フラップの中間部分に設けたことを特徴とするプリンタ消耗品回収箱。
【請求項５】
請求項１乃至４のいずれかに記載のプリンタ消耗品回収箱において、
前記箱本体の内側面の全部又は一部に、張り替え用の保護フィルムを貼着したことを特徴とするプリンタ消耗品回収箱。
【請求項６】
請求項１乃至５のいずれかに記載のプリンタ消耗品回収箱において、
前記箱本体の内側面に、前記接合用舌片を差し込む全部又は一部のスリットを、箱本体の内側から遮蔽するカーテン状のフィルムを設けたことを特徴とするプリンタ消耗品回収箱。
【発明の詳細な説明】
【技術分野】
【０００１】
本発明は、プリンタの使用済みインクカートリッジやトナーカートリッジを回収するために使用される、プリンタ消耗品回収箱に関する。
【背景技術】
【０００２】
プリンタのインクカートリッジは、インクを使いきると、新しいものに交換される。自然保護の観点から、この使用済みのインクカートリッジを、専用の回収箱を使って回収してリサイクルすることが行われている（特許文献１参照）。回収箱は、家電量販店等に設置される。プリンタのトナーカートリッジ等も同様に扱われる。
【特許文献１】特開２００３−１８２８０４号公報
【発明の開示】
【発明が解決しようとする課題】
【０００３】
ここで、従来の技術には、次のような解決すべき課題があった。
学校などの大量消費ユーザには、プリンタメーカから、プリンタの消耗品回収専用の段ボール箱が支給される。この箱を上蓋を開放した状態で部屋の隅に置くと、廃棄物が外からよく見えて、美観を損なう。また、開放した箱の蓋の部分は、外側に折り返しておくと美観を損ね、内側に折り返しておくと内容物が一杯になったとき、内容物が邪魔になり元へ戻せない。本発明は、以上の点に着目してなされたもので、箱の蓋の部分を美観を損なうことなく仮固定して使いやすく利用できる、プリンタ消耗品回収箱を提供することを目的とする。
【課題を解決するための手段】
【０００４】
本発明の各実施例においては、それぞれ次のような構成により上記の課題を解決する。
〈構成１〉略直方体型の箱本体からなり、上記箱本体の側面の上縁部には、それぞれ対向するように上記側面に連設され、上記箱本体の上面側に折り曲げられて上記箱本体の上蓋を形成する２組のフラップが設けられ、上記２組のフラップの端縁部分には、接合用舌片が設けられ、上記箱本体の側面には、上記フラップを上記箱本体の外側面側に折り曲げた状態で、上記接合用舌片を差し込むスリットが設けられていることを特徴とするプリンタ消耗品回収箱。
【０００５】
フラップを箱本体の外側面側に折り曲げて、フラップの接合用舌片を、箱本体の側面に設けられたスリットに差し込む。これにより、粘着テープ等の用具を使用することなく、簡単にフラップを箱本体の外側面に仮固定できる。従って、プリンタ消耗品を受け入れするために、フラップを箱本体に仮固定する作業が簡便になる。また、外観が良好である。
【０００６】
〈構成２〉構成１に記載のプリンタ消耗品回収箱において、上記箱本体の側面に設けられたスリットの全部又は一部が、手掛け用開口であることを特徴とするプリンタ消耗品回収箱。
【０００７】
箱本体の運搬のために設けられている手掛け用開口を利用して、フラップを簡単に仮固定できる。
【０００８】
〈構成３〉構成１記載のプリンタ消耗品回収箱において、上記２組のフラップのうち、一方の組の各フラップの中間部分に、他方の組のフラップの上記接合用舌片を差し込むスリットを設けたことを特徴とするプリンタ消耗品回収箱。
【０００９】
２組のフラップを接合用舌片とスリットを利用して組み合わせ、可動上蓋を形成する。上方からいずれかのフラップを押し下げると、各フラップがその端縁部分を下方に揺動させて、上蓋中央に開口が生じる。ここから、プリンタ消耗品を投入する。フラップを押し下げる力を開放すると、元に戻る。通常は箱本体の上部が開放されていないので、廃棄されたプリンタ消耗品が目に入らない。
【００１０】
〈構成４〉構成３に記載のプリンタ消耗品回収箱において、上記２組のフラップには、上記箱本体の側面の上縁に略平行な折目線を設け、上記２組のフラップを上記側壁の内側面側に折り曲げ、かつ、上記折目線に沿って各フラップの端縁部を可動蓋を形成するように折り返した状態で、上記他方の組のフラップの上記接合用舌片を差し込むスリットを、上記一方の組の各フラップの中間部分に設けたことを特徴とするプリンタ消耗品回収箱。
【００１１】
２組のフラップを側壁の内側面側に折り曲げ、かつ、折目線に沿って各フラップの端縁部を折り返すと、落とし蓋状の可動蓋が得られる。当初から蓋の中央に開口が存在するから、プリンタ消耗品を投入し易い。各フラップはその端縁部分を下方に揺動させるから、その開口は自在に広がる。
【００１２】
〈構成５〉構成１乃至４のいずれかに記載のプリンタ消耗品回収箱において、上記箱本体の内側面の全部又は一部に、張り替え用の保護フィルムを貼着したことを特徴とするプリンタ消耗品回収箱。
【００１３】
プリンタ消耗品を収容して回収された回収箱は再利用される。回収箱内側面に張り替え用のフィルムを貼着しておくと、新たなフィルムを貼着して簡単に、箱内部の汚れを落とすことができる。
【００１４】
〈構成６〉構成１乃至５のいずれかに記載のプリンタ消耗品回収箱において、上記箱本体の内側面に、上記接合用舌片を差し込む全部又は一部のスリットを、箱本体の内側から遮蔽するカーテン状のフィルムを設けたことを特徴とするプリンタ消耗品回収箱。
【００１５】
プリンタ消耗品を収納した箱本体を輸送するとき、各スリットから、インクやトナーが飛び出すおそれがある。カーテン状のフィルムは、接合用舌片の差し込みを妨げることなく、インクやトナーの飛び出しを防止する。
【発明を実施するための最良の形態】
【００１６】
学校などの大量消費ユーザには、プリンタメーカからプリンタ消耗品回収専用の段ボール箱が支給される。その段ボール箱は、プリンタ消耗品で一杯になると、メーカ側に郵送される。プリンタ消耗品回収箱は、上面を開けた状態で部屋の隅に置かれた状態で使用される。本発明では、この箱本体の上蓋となるフラップを箱本体の側面に容易に仮固定できる。粘着テープや大きなゴム輪などの用具を必要としない。フラップを箱の内側に折り込んだ場合には、箱の中身が一杯になったときフラップを戻すことができないが、フラップは内側に折り込まないでよい。以下、本発明の実施の形態を実施例ごとに詳細に説明する。
【実施例１】
【００１７】
図１は実施例１のプリンタ消耗品回収箱を示す斜視図である。
図に示すように、プリンタ消耗品回収箱は、略直方体型の箱本体１４からなる。箱本体１４の側面１６の上縁部には、その側面１６にそれぞれ対向するように連設された、２組のフラップ１８Ａ、１８Ｂ及び２０Ａ、２０Ｂが設けられている。２組のフラップ１８Ａ、１８Ｂ及び２０Ａ、２０Ｂは、いずれも、箱本体１４の上面側に折り曲げられて箱本体１４の上蓋を形成している。２組のフラップ１８Ａ、１８Ｂ及び２０Ａ、２０Ｂの詳細な構造説明の前に、プリンタ消耗品回収箱の展開図を説明する。
【００１８】
図２は実施例１のプリンタ消耗品回収箱の展開図である。
２組のフラップ１８Ａ、１８Ｂ及び２０Ａ、２０Ｂは、箱本体１４の側面１６の上縁部に連設され、観音開き型とされている。なお、図の破線は折れ線である。箱本体１４の底面も、２組のフラップ１９Ａ、１９Ｂ及び２１Ａ、２１Ｂを折り曲げることにより観音開き型に構成されている。フラップ１８Ａ、１８Ｂの端縁部分には、接合用舌片２２Ａ、２２Ｂが設けられている。また、フラップ１８Ａ、１８Ｂと連接した箱本体１４の側面１６には、２個のスリット２４が設けられている。２個のスリット２４は、フラップ１８Ａ、１８Ｂを箱本体１４の外側面側に折り曲げた状態で、接合用舌片２２Ａ、２２Ｂを差し込むことができる位置にある。
【００１９】
フラップ２０Ａ、２０Ｂの端縁部分には、接合用舌片２３Ａ、２３Ｂが設けられている。箱本体１４の側面１６には、４個のスリット２５が設けられている。４個のスリット２５は、フラップ２０Ａ、２０Ｂを箱本体１４の外側面側に折り曲げた状態で、接合用舌片２３Ａ、２３Ｂを差し込むことができる位置にある。接合用舌片２２Ａ、２２Ｂ及び２３Ａ、２３Ｂは、各フラップ１８Ａ、１８Ｂの端縁部分を任意の間隔をおいて切欠することにより形成されている。フラップ２０Ａ、２０Ｂの端縁部分には、接合用舌片２３Ａ、２３Ｂと隣接する位置に、一対の切欠部２９を設けた。これらの切欠部２９は、接合用舌片２２Ａ、２２Ｂ及び２３Ａ、２３Ｂの、スリット２４、２５への差し込み長さを調整するためのものである。なお、この図のように、箱本体１４は、例えば、段ボールを使って一体に打ち抜きにより製造することができる。
【００２０】
図３は上蓋の一部を開いた状態のプリンタ消耗品回収箱斜視図である。
フラップ１８Ａ、１８Ｂに設けられた接合用舌片２２Ａ、２２Ｂは、当該フラップ１８Ａ、１８Ｂの他の端縁部分より若干外方に突出している。箱本体側面のスリット２４は、接合用舌片２２Ａ、２２Ｂを差し込める大きさのもので、手掛け用開口を兼ねている。従って、回収箱を持ち上げるときに手を差し込むことができる大きさに形成されており、常時開口している。フラップ２０Ａ、２０Ｂに設けられた接合用舌片２３Ａ、２３Ｂも、当該フラップ２０Ａ、２０Ｂの他の端縁部分より若干外方に突出している。スリット２５は、接合用舌片２３Ａ、２３Ｂを差し込める大きさのものである。箱本体１４の側面に、下向きのコ字状に形成した切り込みからなる。折目線２６に沿って折り曲げられると、切り込みの部分に隙間が生じる。スリット２５は常時開口していないが、手掛け用開口としても使用できる。
【００２１】
図４は使用状態のプリンタ消耗品回収箱を示す斜視図である。
使用時は、２組のフラップ１８Ａ、１８Ｂ及び２０Ａ、２０Ｂを、それぞれ箱本体１４の外側に折り返す。そして、接合用舌片２２Ａ、２２Ｂを、箱本体１４の各スリット２４に差し込む。また、接合用舌片２３Ａ、２３Ｂを、箱本体１４の各スリット２５に差し込む。このように２組の各フラップを箱本体１４の側面１６の外側に仮固定する。箱本体１４の上面１２は、全面開口状態とされる。ここから使用済みのインクカートリッジやトナーカートリッジを投入する。ゴム輪や粘着テープ等の用具を使用することなく、簡単にフラップ１８Ａ、１８Ｂ及び２０Ａ、２０Ｂを箱本体１４の外側面に仮固定することができる。従って、外観及び作業性を向上できる。フラップ１８Ａ、１８Ｂや２０Ａ、２０Ｂを箱本体の内側に折り曲げておくと、内容物で満杯になったときフラップが外側に出し難くなる。この実施例の構成によれば、その問題も解決する。なお、上記の接合用舌片の形状や数は任意である。また、スリットの形状や数も任意である。
【実施例２】
【００２２】
図５は実施例２のプリンタ消耗品回収箱の一部を示す説明図である。
回収箱の再利用のためには箱本体１４の汚れをできる限り防止することが必要となる。従って、使用済みのインクカートリッジから排出された廃インクが、箱本体１４の内側に不着しても、それを簡単に除去できるようにする。また、運搬時に、廃インクや廃トナーが、箱側面１６に設けられているスリット２４や２５から外に漏出しないようにする。そこで、図の（ａ）に示すように、例えば、箱本体１４の側面１６に設けられたスリット２５を、箱本体１４の内側からフィルム３４で遮蔽する。このフィルム３４は、カーテンのように、上辺３４Ａが箱に貼着されて垂れ下げられている。箱本体１４の外側からスリット２５に、接合用舌片２３Ａ、２３Ｂを差し込む妨げとならないように、上辺３４Ａ以外の部分は貼着されていない。即ち、カーテン状に貼り付けられる。なお、箱本体１４の他のスリット２４（ここでは図示していない）に対しても、同様にフィルムをカーテン状に貼り付けるとよい。
【００２３】
図の（ｂ）は、箱内部の全面の汚れ防止を図る実施例である。箱本体の全部又は一部に、張り替え用の保護フィルム３６を貼着した。袋状のフィルムでもよいし、箱の一部を覆うシート状のフィルムでも構わない。この保護フィルム３６は、できるだけ部分的に接着剤３７を使用して、箱本体１４の内面から剥離可能に貼着する。箱が一杯になって、プリンタメーカの所定の基地に回収されると、保護フィルム３６を箱本体１４から剥離する。その後、新たな保護フィルム３６を貼着して、箱の再利用を可能にする。インクその他の異物等による汚れが直接箱本体に付着したままで再利用する場合に比較して、箱を長期間綺麗に利用できる。また、箱を長持ちさせることができる。
【実施例３】
【００２４】
図６は実施例３のプリンタ消耗品回収箱の展開図である。
この実施例では、フラップ１８Ａ、１８Ｂの中間部分に、箱本体１４の上縁４０に略平行な２本の折目線３０Ａ、３０Ｂが設けられている。また、フラップ２０Ａ、２０Ｂの中間部分に、箱本体１４の上縁に略平行な２本の折目線３１Ａ、３１Ｂが設けられている。さらに、一方の組の各フラップ２０Ａ、２０Ｂの中間部分に、それぞれ４個のスリット３２が設けられている。２組のフラップ１８Ａ、１８Ｂと２０Ａ、２０Ｂは、側壁１６の内側面側に折り曲げられ、折目線３０Ａ、３０Ｂ、３１Ａ、３１Ｂに沿って端縁部が折り返された状態になる。このとき、各フラップは可動蓋を形成する。この状態で、一方の組の各フラップ２０Ａ、２０Ｂのいずれかのスリット３２に、他方の組のフラップの接合用舌片３３Ａ、３３Ｂを差し込めるように、スリット３２を位置決めする。
【００２５】
図７は、実施例３のプリンタ消耗品回収箱使用状態を示す斜視図である。
図において、２組のフラップ１８Ａ、１８Ｂ及び２０Ａ、２０Ｂは、それぞれ箱本体１４の側壁の内側面側に折り曲げられる。さらに、２組のフラップ１８Ａ、１８Ｂ及び２０Ａ、２０Ｂを、箱本体１４の上縁４０に近い方の折目線３０Ａ、３０Ｂ及び３１Ａ、３１Ｂに沿って折り返す。各フラップ１８Ａ、１８Ｂ及び２０Ａ、２０Ｂの端縁部は、可動蓋を形成する。即ち、折目線３０Ａ、３０Ｂ及び３１Ａ、３１Ｂを固定端とし、端縁部分を自由端とする揺動をする。ここで、一方の組のフラップの接合用舌片３３Ａ、３３Ｂを、他方の組のフラップのスリット３２に差し込む。
【００２６】
この状態では、箱本体１４の上面に、使用済みのインクカートリッジ等を投入するのに適当な大きさの投入口が形成される。また、若干大サイズのトナーカートリッジを投入するときには、投入口がフラップの弾性で柔軟に開閉する。可動蓋が揺動して、フラップの弾性で元に戻る。接合用舌片３３Ａ、３３Ｂの横に設けた切欠部２９の長さが適当に設定されていると、フラップが揺動しても接合用舌片３３Ａ、３３Ｂがスリット３２から外れない。従って、可動蓋の形状が保持される。
【００２７】
また、このように、折り込み構造のフラップは、接合用舌片３３Ａ、３３Ｂとスリット３２によって簡単に可動蓋を形成し、適切なサイズの投入口を形成する。この状態では各フラップが落とし蓋として機能するから、箱の中身が見えず、美観を損なわない。また、箱内が投入されたインクカートリッジ等で満杯に近づいたときには、全てのフラップを外側に折り返し、図４に示した状態にするとよい。これで、箱上面を全面開放し、箱いっぱいまでプリンタ消耗品を投入できる。
【００２８】
図８は、回収時の状態のプリンタ消耗品回収箱斜視図である。
箱がプリンタ消耗品で一杯になると、箱に蓋をして梱包し、回収基地に輸送する。このときは、図のように、フラップ１８Ａ、１８Ｂ及び２０Ａ、２０Ｂを、箱本体１４の上面側に折り曲げて、箱本体１４の上蓋とする。さらに、一方の組のフラップ１８Ａ、１８Ｂの接合用舌片３３Ａ、３３Ｂを、他方の組のフラップ２０Ａ、２０Ｂのスリット３２に差し込む。これで、各フラップが平坦な上蓋を形成するように固定される。これで、簡単に梱包が終了する。勿論、より強固に蓋を固定するために、図示しない粘着テープ等を使用しても構わない。
【００２９】
なお、内部に収容されたプリンタ消耗品の量が少ないと、輸送時にガタツキが発生する。そこで、スリット３２を、適当な間隔でさらに複数箇所に設ける。そして、接合用舌片３３Ａ、３３Ｂを、プリンタ消耗品の収納量に応じて、適当な箇所のスリット３２選んで差し込む。これで、図７に示したような状態になる。各フラップの先端部分は、箱本体１４内に投入されたプリンタ消耗品の押さえ部材として作用する。開口は、別の段ボール等で塞ぐとよい。このように、落とし蓋状態で包装をして輸送することも可能である。即ち、上記の実施例において、スリットやフラップの折り目は任意の数だけ設けることができる。
【図面の簡単な説明】
【００３０】
【図１】実施例１のプリンタ消耗品回収箱を示す斜視図。
【図２】実施例１のプリンタ消耗品回収箱の展開図。
【図３】上蓋の一部を開いた状態のプリンタ消耗品回収箱斜視図。
【図４】使用状態のプリンタ消耗品回収箱を示す斜視図。
【図５】実施例２のプリンタ消耗品回収箱の一部を示す説明図。
【図６】実施例３のプリンタ消耗品回収箱の展開図。
【図７】実施例３のプリンタ消耗品回収箱使用状態を示す斜視図。
【図８】回収時の状態のプリンタ消耗品回収箱斜視図。
【符号の説明】
【００３１】
１２  上面、１４  箱本体、１６  側面、１８Ａ  フラップ、１８Ｂ  フラップ、２０Ａ  フラップ、２０Ｂ  フラップ、２２Ａ  接合用舌片、２２Ｂ  接合用舌片、２３Ａ  接合用舌片、２３Ｂ  接合用舌片、２４  スリット、２５  スリット、２６  折目線、２８  スリット、２９  切欠部、３０Ａ  折目線、３０Ｂ  折目線、３１Ａ  折目線、３１Ｂ  折目線、３２  スリット、３４  フィルム。
【図１】
2007204117.tif 000003
【図２】
2007204117.tif 000004
【図３】
2007204117.tif 000005
【図４】
2007204117.tif 000006
【図５】
2007204117.tif 000007
【図６】
2007204117.tif 000008
【図７】
2007204117.tif 000009
【図８】
2007204117.tif 000010